(57)【要約】【課題】筐体の形状の自由度をより高めることができる電子機器の提供する。【解決手段】筐体１０は下ケース１１及びこの下ケース１１を覆う上ケース１２を有する。筐体１０内にスピーカ６１を収容する。下ケース１１及び上ケース１２は、スピーカ６１の前方で互いに突き合わされる壁部２２，３２を夫々有する。下ケース１１の壁部２２及び上ケース１２の壁部３２に、スピーカ６１と対向する放音用孔７１，７２を夫々設ける。スピーカ６１は支持部材６３を有し、この支持部材６３はクッション材７６を介して筐体１０に支持される。【選択図】      図２
2005100312.tif 000002
【特許請求の範囲】
【請求項１】
第１のケース及びこの第１のケースを覆う第２のケースを有する筐体と、
上記筐体内に収容されたスピーカと、を具備し、
上記第１のケース及び第２のケースは、上記スピーカと対向して互いに突き合わされる壁部を夫々有しているとともに、上記第１のケースの壁部及び上記第２のケースの壁部に、上記スピーカと対向する放音用孔が夫々設けられており、且つ、上記スピーカは支持体を有し、この支持体は弾性材を介して上記筐体に支持されることを特徴とする電子機器。
【請求項２】
上記スピーカは、第１のケースと第２のケースとの間に跨るように配置されていることを特徴とする請求項１記載の電子機器。
【請求項３】
上記第１のケースの放音用孔と上記第２のケースの放音用孔とが異なる大きさに形成されていることを特徴とする請求項１又は２記載の電子機器。
【請求項４】
上記第１のケースは、搭載面を有する下ケースであるとともに、上記第２のケースは、上記第１のケースを上方から覆う上ケースであり、上記第１のケースの放音用孔が上記第２のケースの放音用孔よりも大きく形成されていることを特徴とする請求項３記載の電子機器。
【請求項５】
第１の孔が設けられた壁部を有する第１のケースと、上記第１の壁部に結合されるとともに上記第１の孔よりも小さく形成された第２の孔が設けられた壁部とを有する第２のケースと、を具備する筐体と、
上記筐体内に収容されるとともに上記第１及び第２の孔と対向するスピーカと、
を具備しているとともに、
上記スピーカは支持体を有し、この支持体は弾性材を介して上記筐体に支持されることを特徴とする電子機器。
【請求項６】
上記第１の孔は上記第２の孔よりも大きく形成されていることを特徴とする請求項５記載の電子機器。
【発明の詳細な説明】
【技術分野】
【０００１】
本発明は、スピーカを備えるポータブルコンピュータのような電子機器に関する。
【背景技術】
【０００２】
例えばポータブルコンピュータのような電子機器としては、従来、スピーカを備えたものが知られている。筐体は、底面及び背面が全面にわたって開口されたケース本体と、このケース本体の底面開口部を覆う底板とを有して構成されている。ケース本体の前壁は、切り欠き部が形成されている。スピーカは、支持パネルに支持されてスピーカユニットを形成している。支持パネルの中央部には、放音用の多数の小孔が形成されている。
【０００３】
スピーカは、スピーカユニットを筐体の前壁に形成された切り欠き部に組み込むことで、筐体内に収容されている。支持パネルは、ケース本体の前壁及び左右の側壁に略面一に連続し、これら前壁及び左右の側壁の一部を構成している。
【特許文献１】特開平７−１３６６０号公報（段落００３４〜段落００３５、段落０１３３〜段落０１３９、図３２）
【発明の開示】
【発明が解決しようとする課題】
【０００４】
特許文献１に記載の技術では、筐体を構成するケース本体の上壁の縁部からスピーカに対応する高さ分だけ壁を下側に張り出させ、この壁に対向させてスピーカを収容している。そして、ケース本体の上壁の縁部から張り出させた壁のスピーカと対向する位置に放音用の孔を形成している。或いは、従来の他の技術では、筐体を下壁の縁部からスピーカに対応する高さ分だけ壁を上側に立上らせ、この壁に対向させてスピーカを収容している。そして、ケース本体の下壁の縁部から立上らせた壁のスピーカと対向する位置に放音用の孔を形成している
このように、ポータブルコンピュータにスピーカを収容する際には、従来、上壁又は下壁のうちの一方の壁の縁部からスピーカに対応する高さ分だけ壁を立上らせているので、筐体の形状に制約が生じ、デザイン性が損なわれている。
【０００５】
本発明は、このような事情にもとづいてなされたもので、筐体の形状の自由度をより高めることができる電子機器の提供を目的とする。
【課題を解決するための手段】
【０００６】
本発明の１つの形態に係る電子機器は、第１のケース及びこの第１のケースを覆う第２のケースを有する筐体と、上記筐体内に収容されたスピーカと、を具備し、上記第１のケース及び第２のケースは、上記スピーカと対向して互いに突き合わされる壁部を夫々有しているとともに、上記第１のケースの壁部及び上記第２のケースの壁部に、上記スピーカと対向する放音用孔が夫々設けられており、且つ、上記スピーカは支持体を有し、この支持体は弾性材を介して上記筐体に支持される。
【発明の効果】
【０００７】
本発明によれば、筐体の形状の自由度をより高めることができる電子機器が得られる。
【発明を実施するための最良の形態】
【０００８】
以下、本発明の第１の実施形態を、電子機器としてのポータブルコンピュータ１に適用した図１〜図４を参照して説明する。
【０００９】
図１は、ノート型のポータブルコンピュータ１を開示している。このポータブルコンピュータ１は、機器本体２と、液晶ディスプレイユニット３とを備えている。
【００１０】
機器本体２は、樹脂製の筐体１０を有している。この筐体１０は、第１のケースとしての下ケース１１と、第２のケースとしての上ケース１２とを有して、偏平な箱状に形成されている。下ケース１１は、矩形状の底壁２０と、この底壁２０の前縁部から上方に立上る壁部としての前壁２２と、底壁２０の左右の側縁及び後縁から上方に立上る左右の側壁２３，２４及び後壁２５とを有している。上ケース１２は、底壁２０と対向する矩形状の上壁３０と、この上壁３０の前縁部から下方に延びる壁部としての前壁３２と、上壁３０の左右の側縁及び後縁から下方に延びる左右の側壁３３，３４及び後壁２５とを有している。
【００１１】
上ケース１２は、前壁３２、左右の側壁３３，３４及び後壁３５の先端部を下ケース１１の前壁２２、左右の側壁２３，２４及び後壁２５の先端部に夫々突き合わせるようにして、下ケース１１を上方から覆っている。本実施形態では、上ケース１２の開口端内側を周方向に切り欠くとともに、下ケース１１の開口端外側を周方向に切り欠き、上ケース１２の切り欠き部分と下ケース１１の切り欠き部分とを噛み合わせるように当接させている。この状態において、上ケース１２は下ケース１１に固定されている。下ケース１１の底壁２０の外面２０ａは搭載面であって、筐体１０は、例えば、机の天板のような設置面（図示せず）に底壁２０の外面２０ａを対向させることで、設置面に設置可能である。
【００１２】
上ケース１２の上壁３０の外面３０ａは、パームレスト４０を有している。また、上ケース１２には、パームレスト４０の後方にキーボード取付け部４１が設けられている。キーボード取付け部４１には、キーボード４２が取り付けられる。上ケース１２の後端部には、筐体１０の幅方向に離間してディスプレイユニット支持用の一対の脚部４３ａ，４３ｂが設けられている。なお、この実施形態では、上ケース１２を１つの部材で形成しているが、上ケース１２は、パームレスト４０を有する前側部材と、キーボード取付け部４１及び脚部４３ａ，４３ｂを有する後側部材とを備えて構成してもよい。
【００１３】
液晶ディスプレイユニット３は、ディスプレイハウジング５０及びこのディスプレイハウジング５０に収容された液晶パネル５１を備えている。ディスプレイハウジング５０の前壁５２には、表示用の開口部５３が設けられている。この開口部５３は前壁５２の大部分にわたる大きさを有しており、この開口部５３を通じて液晶パネル５１の表示画面がディスプレイハウジング５０の外方に露出されている。
【００１４】
ディスプレイハウジング５０は、その一端部に一対の連結凹部５４，５４ｂを有している。これら連結凹部５４ａ，５４ｂは、ディスプレイハウジング５０の前方、下方、後方に向けて開放する窪みにて構成されている。連結凹部５４ａ，５４ｂは、ディスプレイハウジング５０の幅方向に離間して配置されており、夫々筐体１０の脚部４３ａ，４３ｂに導かれている。これら連結凹部５４ａ，５４ｂは、筐体１０の後端部に夫々ヒンジ金具を介して回動可能に支持されている。
【００１５】
そのため、液晶ディスプレイユニット３は、パームレスト４０やキーボード４２を上方から覆うように倒される閉じ位置と、パームレスト４０やキーボード４２を露出させるように起立する開き位置とにわたって回動可能となっている。なお、図１及び図２では、ポータブルコンピュータ１を開き位置で示している。
【００１６】
筐体１０内には、図３及び図４に示すように、プリント配線板（図示せず）、ＨＤＤ（ハードディスクドライブ、図示せず）、ＦＤＤ（フロッピーディスクドライブ）６０、及び一対のスピーカ６１等が収容されている。プリント配線板、ＨＤＤ、ＦＤＤ６０は、筐体１０の底壁２０にねじ止めされている。
【００１７】
下ケース１１の前壁２２及び前壁３２には、一対のスピーカ６１と夫々対向するように、筐体１０の幅方向に離間して、第１及び第２の孔としての放音用孔７１，７２が設けられている。詳しくは、上ケース１２の前壁３２には、一対のスピーカ６１を夫々露出させる一対の開口部７３が形成されている。これら開口部７３には、メッシュ部７４ａとこのメッシュ部７４ａを支持する枠部７４ｂとを有するメッシュ部材７４が嵌め込まれている。メッシュ部７４ａの複数の孔がスピーカ６１からの音を筐体１０の外方に放つ複数の放音用孔７２となる。下ケース１１の前壁２２には、複数の放音用孔７１が開けられている。下ケース１１の放音用孔７１は、上ケース１２の放音用孔（メッシュ部の孔）７２よりも大きく形成されている。また、下ケース１１の底壁２０の内面２０ｂからは、スピーカ６１を支持する支持板７５が垂直方向に張り出している。
【００１８】
スピーカ６１は、振動体６２及び支持部材６３を有している。振動体６２は、音声電流を音に変換する装置であって、例えば永久磁石や電磁石によって振動される。振動体６２の上部６２ａ、左右の側部（図示せず）、下部６２ｂ、前部６２ｄの周縁、及び後部６２ｃをケース状の支持部材６３で取り囲むことで、スピーカ６１が構成されている。振動体６２の前部６２ｄは、支持部材６３の前部開口６３ｅを介して露出している。
【００１９】
スピーカ６１は、支持部材６３の前部開口６３ｅから露出する振動体６２の前部６２ｄが下ケース１１及び上ケース１２の双方の放音用孔７１，７２と対向するように配置されている。すなわち、スピーカ６１は、下ケース１１と上ケース１２との間を跨ぐように配置されている。
【００２０】
スピーカ６１と筐体１０の内面との間には、振動を吸収する振動吸収材としてのクッション材７６が設けられている。スピーカ６１は、クッション材７６により筐体１０に固定されている。クッション材７６は、支持部材６３の上部外面６３ａと筐体１０の上壁３０の内面３０ｂとの間、支持部材６３の前縁部外面６３ｂと筐体１０の前壁例えば前壁２２の内面３２ｂとの間、支持部材６３の下部外面６３ｃと底壁２０の内面２０ｂとの間、及び、支持部材６３の後部外面６３ｄと支持板７５の前面と間に設けられている。なお、図４では、スピーカ６１の幅方向一側部に設けられたクッション材（弾性材）７６のみ図示しているが、クッション材７６は、スピーカ６１の幅方向他側部にも設けられている。すなわち、本実施形態では、クッション材７６は、計８つ設けられている。なお、クッション材７６は、スピーカ６１を覆うように支持する一体成型物であってもよい。
【００２１】
本実施形態のポータブルコンピュータ１によれば、下ケース１１及び上ケース１２が、スピーカ６１の前方で互いに突き合わされる壁部としての前壁２２，３２を夫々有しているとともに、下ケース１１の前壁２２及び上ケース１２の前壁３２に、スピーカ６１と対向する放音用孔７１，７２が夫々設けられている。そのため、従来のポータブルコンピュータのように、下ケースの下壁又は上ケースの上壁のうちの一方の壁の縁部からのみスピーカ６１に対応する高さ分の壁を立上らせる必要は無い。したがって、筐体１０の形状の自由度をより高めることができる。よって、筐体１０を従来よりも自由度の高い状態で設計できるので、デザイン性の良好なポータブルコンピュータ１を得ることができる。
【００２２】
しかも、本実施形態のポータブルコンピュータ１によれば、スピーカ６１が下ケース１１と上ケース１２との間を跨ぐように配置されているため、スピーカ６１から発せられる音を下ケース１１の放音用孔７１と上ケース１２の放音用孔７２との両方の放音用孔７１，７２を介して、筐体１０の外方に良好に放音することができる。
【００２３】
さらに、下ケース１１の放音用孔７１の大きさが上ケース１２の放音用孔７２の大きさよりも大きく形成されているため、スピーカ６１から発せられる比較的低い音（波長の比較的長い音）を下ケース１１の放音用孔７１から筐体１０の外方に良好に放音することができる。
【００２４】
また、従来の技術では、スピーカ６１を筐体１０にねじ止めしているため、ＨＤＤやＦＤＤ６０が動作することにより生じる振動が筐体１０を介してスピーカ６１に伝わり易い。そのため、従来の技術では、ＨＤＤやＦＤＤ６０からの振動で、スピーカ６１が誤動作したり、異音（いわゆるびびり音）が発生したりすることがある。
【００２５】
これに対し、本実施形態のポータブルコンピュータ１では、スピーカ６１と筐体１０内面との間に、振動を吸収する振動吸収材としてのクッション材７６が設け、このクッション材７６でスピーカ６１を固定している。そのため、ＨＤＤやＦＤＤ６０が動作することにより生じる振動をスピーカ６１に伝え難くすることができる。したがって、スピーカ６１の動作エラーや異音の発生等を抑制することができる。
【００２６】
以下、本発明の第２の実施形態を、図５を参照して説明する。
【００２７】
本実施形態では、上記開口部７３及びメッシュ部材７４を省略し、上ケース１２の前壁３２に複数の放音用孔７２を直接形成している。また、上ケース１２の放音用孔７２は、下ケース１１の放音用孔７１よりも小さく形成している。なお、他の構成は、図示しない部分を含めて上述した第１の実施形態と同じであるから、重複する説明は図に同符号を付して省略する。本実施形態では、第１の実施形態と同様の効果が得られる。
【００２８】
なお、上記第１及び第２の実施形態では、下ケース１１の放音用孔７１を上ケース１２の放音用孔７２よりも大きく形成したが、下ケース１１の放音用孔７１は、上ケース１２の放音用孔７２と同程度の大きさに形成したり、上ケース１２の放音用孔７２よりも小さく形成したりしてもよい。
【００２９】
また、上記第１及び第２の実施形態では、スピーカ６１を前壁２２，３２と対向させて設けたが、スピーカ６１を対向させる壁は前壁２２，３２に限定されるものではない。スピーカ６１は、筐体１０のスピーカ６１の前方で互いに突き合わされる壁部と対向させて設ければよく、例えば、側壁２３，３３、側壁２４，３４、或いは後壁２５，３５と対向させてもよい。
【００３０】
さらに、上記第１及び第２の実施形態では、第１のケースを下ケース１１とし、第２のケースを上ケース１２としたが、第１のケース及びこの第１のケースを覆う第２のケースは、上下方向に接合させるものでなくてもよい。
【００３１】
本発明に係る電子機器は、ポータブルコンピュータに制約されるものではなく、電子手帳やＰＤＡ等、種々の電子機器に広く適用することができる。
【図面の簡単な説明】
【００３２】
【図１】本発明の第１の実施形態に係るポータブルコンピュータを示す斜視図。
【図２】図１のポータブルコンピュータを示す正面図。
【図３】図２中III−III線に沿って示す断面図。
【図４】図２中IV−IV線に沿って示す断面図。
【図５】本発明の第２の実施形態に係るポータブルコンピュータのスピーカ近傍を示す断面図。
【符号の説明】
【００３３】
１…電子機器（ポータブルコンピュータ）、  １０…筐体、  １１…第１のケース（下ケース）、  １２…第２のケース（上ケース）、  ２２…壁部（前壁）、  ３２…壁部（前壁）、  ６１…スピーカ、６３…支持体（支持部材）、  ７１…放音用孔（第１の孔）、  ７２…放音用孔（第２の孔）、  ７６…弾性材（クッション材）
【図１】
2005100312.tif 000003
【図２】
2005100312.tif 000004
【図３】
2005100312.tif 000005
【図４】
2005100312.tif 000006
【図５】
2005100312.tif 000007